(57)【要約】【課題】接続された装置が必要とする電力を加味して、限られた供給電力を分配できる充電装置を提供する。【解決手段】充電装置は、複数のモバイルデバイスを充電する。充電装置は、複数のモバイルデバイスの充電装置への接続を検知する第１検知部と、第１検知部に検知されたモバイルデバイス毎に、モバイルデバイスの引込電流を検知する第２検知部と、複数のモバイルデバイスへの充電を制御する制御部と、を備える。制御部は、複数のモバイルデバイスを充電するための最大許容電流を取得し、第２検知部により検知された各モバイルデバイスの引込電流の合計値が最大許容電流より大きい場合、各モバイルデバイスへ供給される最大供給電流の合計値が最大許容電流以下となるように、各モバイルデバイスへの最大供給電流を決定する。【選択図】図１
2020137170.tif 000002
【特許請求の範囲】
【請求項１】
複数のモバイルデバイスを充電する充電装置であって、
前記複数のモバイルデバイスの前記充電装置への接続を検知する第１検知部と、
前記第１検知部に検知されたモバイルデバイス毎に、前記モバイルデバイスが引き込む電流である引込電流を検知する第２検知部と、
前記複数のモバイルデバイスへの充電を制御する制御部と、
を備え、
前記制御部は、
前記複数のモバイルデバイスを充電するための最大許容電流を取得し、
前記第２検知部により検知された各モバイルデバイスの引込電流の合計値が前記最大許容電流より大きい場合、各モバイルデバイスへ供給される最大供給電流の合計値が前記最大許容電流以下となるように、前記各モバイルデバイスへの最大供給電流を決定する、
充電装置。
【請求項２】
前記制御部は、前記各モバイルデバイスの引込電流の比に基づいて、前記各モバイルデバイスへの最大供給電流を決定する、
請求項１に記載の充電装置。
【請求項３】
前記制御部は、前記第１検知部により新たに第１のモバイルデバイスが検知された場合、前記第１のモバイルデバイスを含む前記第１検知部により検知された各モバイルデバイスへの最大供給電流を再決定する、
請求項１又は２に記載の充電装置。
【請求項４】
前記制御部は、前記第１検知部により第２のモバイルデバイスが新たに検知されなくなった場合、前記第２のモバイルデバイスを除く前記第１検知部により検知された各モバイルデバイスへの最大供給電流を再決定する、
請求項１〜３のいずれか１項に記載の充電装置。
【請求項５】
前記制御部は、
前記第１検知部により検知された各モバイルデバイスとの接続の種別を認識し、
認識されたモバイルデバイスに充電制御のためのネゴシエーションを行わない第３のモバイルデバイスが含まれる場合、前記第３のモバイルデバイスへの所定の最大供給電流と、前記ネゴシエーションを行う各モバイルデバイスの引込電流、とに基づいて、前記ネゴシエーションにより決定される前記各モバイルデバイスへの最大供給電流を決定する、
請求項１〜４のいずれか１項に記載の充電装置。
【請求項６】
前記制御部は、
前記第１検知部に検知されたモバイルデバイス毎に、前記モバイルデバイスの要求電圧を取得し、
前記各モバイルデバイスの要求電圧が異なる場合、最小の要求電圧を、前記各モバイルデバイスへの供給電圧に決定する、
請求項１〜５のいずれか１項に記載の充電装置。
【請求項７】
前記制御部は、前記供給電圧に基づいて、前記各モバイルデバイスへの最大供給電流を決定する、
請求項６に記載の充電装置。
【請求項８】
前記制御部は、
供給中の供給電圧とは異なる電圧の要求を検知した場合、要求された電圧を新たな供給電圧に決定し、
前記新たな供給電圧に基づいて、前記各モバイルデバイスへの新たな最大供給電流を決定する、
請求項７に記載の充電装置。
【請求項９】
前記充電装置は、ＵＳＢ（Universal Serial Bus）を用いて充電する、
請求項１〜８のいずれか１項に記載の充電装置。
【請求項１０】
前記制御部は、車両に搭載されたバッテリから入力された電圧を基に、前記モバイルデバイスを充電するよう制御する、
請求項１〜９のいずれか１項に記載の充電装置。
【請求項１１】
複数のモバイルデバイスを充電する充電方法であって、
充電装置への前記複数のモバイルデバイスの接続を検知し、
検知されたモバイルデバイス毎に、前記モバイルデバイスが引き込む電流である引込電流を検知し、
前記複数のモバイルデバイスを充電するための最大許容電流を取得し、
検知された各モバイルデバイスの引込電流の合計値が前記最大許容電流より大きい場合、各モバイルデバイスへ供給される最大供給電流の合計値が前記最大許容電流以下となるように、前記各モバイルデバイスへの最大供給電流を決定する、
充電方法。
【発明の詳細な説明】
【技術分野】
【０００１】
本開示は、複数のモバイルデバイスを充電する充電装置及び充電方法に関する。
【背景技術】
【０００２】
従来、複数の電池に対し充電を行う充電装置が知られている（特許文献１参照）。特許文献１の充電装置は、複数の電池の残容量情報を取得し、残容量情報に応じて所定の充電電流値を複数の電池それぞれに分配するための分配比を設定し、設定された分配比に応じて所定の充電電流値を分配供給して充電する。
【先行技術文献】
【特許文献】
【０００３】
【特許文献１】特開２０１３−７４６６２号公報
【発明の概要】
【発明が解決しようとする課題】
【０００４】
特許文献１の充電装置を車載の充電器に適用し、車載の充電器で複数のスマートフォンを充電する場合、充電器は、車載バッテリからバッテリ電圧が供給されて動作するので、複数のスマートフォンを同時に大電流で充電することが困難である。一方、充電器に接続されるスマートフォンがカーナビゲーション等のアプリケーション（単にアプリともいう）を実行中である場合、比較的大きな電流を用いて充電する必要がある。さらに、仮に複数のスマートフォンを同時に比較的大きな電流で充電する場合、充電器の筐体（放熱器を含む）からの放熱が充電で発生する熱に間に合わず、充電器がサーマルシャットダウンを起こし、充電を継続できない可能性がある。
【０００５】
本開示は、上記事情に鑑みてなされたものであり、接続された装置が必要とする電力を加味して、限られた供給電力を分配できる充電装置及び充電方法を提供する。
【課題を解決するための手段】
【０００６】
本開示の一態様は、複数のモバイルデバイスを充電する充電装置であって、前記複数のモバイルデバイスの前記充電装置への接続を検知する第１検知部と、前記第１検知部に検知されたモバイルデバイス毎に、前記モバイルデバイスが引き込む電流である引込電流を検知する第２検知部と、前記複数のモバイルデバイスへの充電を制御する制御部と、を備え、前記制御部は、前記複数のモバイルデバイスを充電するための最大許容電流を取得し、前記第２検知部により検知された各モバイルデバイスの引込電流の合計値が前記最大許容電流より大きい場合、各モバイルデバイスへ供給される最大供給電流の合計値が前記最大許容電流以下となるように、前記各モバイルデバイスへの最大供給電流を決定する、充電装置である。
【０００７】
本開示の一態様は、複数のモバイルデバイスを充電する充電方法であって、充電装置への前記複数のモバイルデバイスの接続を検知し、検知されたモバイルデバイス毎に、前記モバイルデバイスが引き込む電流である引込電流を検知し、前記複数のモバイルデバイスを充電するための最大許容電流を取得し、検知された各モバイルデバイスの引込電流の合計値が前記最大許容電流より大きい場合、各モバイルデバイスへ供給される最大供給電流の合計値が前記最大許容電流以下となるように、前記各モバイルデバイスへの最大供給電流を決定する、充電方法である。
【発明の効果】
【０００８】
本開示によれば、接続された装置が必要とする電力を加味して、限られた供給電力を分配できる。
【図面の簡単な説明】
【０００９】
【図１】実施形態１における充電器の構成を示すブロック図
【図２】ＵＳＢの種別に対応する電力仕様が登録された電力供給テーブルの登録内容を示す図
【図３】ＵＳＢコネクタのピン配列を示す図
【図４】充電器と２台のモバイルデバイスとの間における充電制御に関する通信手順を示すシーケンス図
【図５】実施形態１の第１動作例における充電器の充電動作手順を示すフローチャート
【図６】実施形態１の第２動作例における充電器の充電動作手順を示すフローチャート
【図７】充電器と２台のモバイルデバイスとの間における充電制御に関する通信手順を示すシーケンス図
【図８】実施形態２の第１動作例における充電器の充電動作手順を示すフローチャート
【図９】図８に続く充電器の充電動作手順を示すフローチャート
【図１０】実施形態２の第２動作例における充電器の充電動作手順を示すフローチャート
【図１１】図１０に続く充電器の充電動作手順を示すフローチャート
【図１２】モバイルデバイスの充電時における供給電圧及び供給電流の時間変化を示すグラフ
【発明を実施するための形態】
【００１０】
以下、適宜図面を参照しながら、本開示に係る充電装置及び充電方法を具体的に開示した実施形態である車載用の充電器を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１１】
（実施形態１）
図１は、実施形態１における充電器１の構成を示すブロック図である。充電器１は、例えば、車両に搭載され、車載バッテリからバッテリ電圧（入力電圧の一例）が供給されて動作する。車載バッテリは、例えば１２Ｖ〜１６Ｖのバッテリ電圧を充電器１に供給可能である。充電器１は、筐体１ｚに配置された２個のＵＳＢ（Universal Serial Bus）コネクタ１１，１２を有する。充電器１は、バッテリ電圧を使用し、２個のＵＳＢコネクタ１１，１２にそれぞれ接続された２台のモバイルデバイス２１，２１を、ＵＳＢケーブルを介して充電する。充電器１及びモバイルデバイス２１，２２等の装置側の接続部分（ＵＳＢコネクタ）は、ＵＳＢレセプタクルとなり、ＵＳＢケーブル側の接続部分は、ＵＳＢプラグとなる。
【００１２】
モバイルデバイス２１，２１は、充電される電子機器の一例であり、例えばカーナビゲーション等のアプリを実行可能なスマートフォン等の端末でよい。電子機器としては、スマートフォンに限らず、タブレット端末、スマートスピーカ、デジタルフォトフレーム、デジタルカメラ、ノートＰＣ等、特に限定されない。また、充電器１は、バッテリの電極端子に接続されてバッテリ電圧の供給を直接受けてもよいし、車のシガーソケットを介してバッテリ電圧の供給を受けてもよい。
【００１３】
充電器１は、ＵＳＢコネクタ１１，１２、検知部１３、制御部１４、通信部１５、給電部１６、及び記憶部１８を含む構成である。ＵＳＢコネクタが２個であることを主に例示するが、３個以上でもよい。
【００１４】
ＵＳＢコネクタ１１，１２は、ＵＳＢ Ｔｙｐｅ−ＣのＵＳＢに対応するコネクタである。ＵＳＢ Ｔｙｐｅ−ＣのＵＳＢコネクタのピン配列及び機能については後述する。ＵＳＢコネクタ１１，１２は、ＵＳＢ  Ｔｙｐｅ−Ｃに従い、ＰＤ（Power Delivery）機能を有しても有しなくてもよい。
【００１５】
検知部１３は、ＵＳＢコネクタ１１，１２にそれぞれ接続されるモバイルデバイス２１，２２の接続の有無を検知する。検知部１３は、ＵＳＢコネクタ１１，１２を介して、モバイルデバイス２１，２２がそれぞれ充電器１から引き込む電流を検知する。検知部１３は、例えば、検知抵抗を有し、引き込む電流を検知する際、検知抵抗を流れる電流を検知してよい。
【００１６】
制御部１４は、充電器１の各部の動作を制御する。制御部１４は、例えば、プロセッサが記憶部１８に保持されたプログラムを実行することで、各種機能を実現する。プロセッサは、ＭＰＵ（Micro processing Unit）、ＣＰＵ（Central Processing Unit）、ＤＳＰ（Digital Signal Processor）、等を含んでよい。
【００１７】
制御部１４は、モバイルデバイス２１，２２によって引き込まれる電流の合計が最大許容電流Ｉｍａｘを超える場合、各モバイルデバイス２１，２２に供給可能な最大の電流である最大供給電流Ｉａｍａｘ，Ｉｂｍａｘを算出してよい。制御部１４は、各モバイルデバイス２１，２２との間で電力供給（充電）に関するネゴシエーションを行った結果、ＰＤ契約が成立すると、給電部１６を制御し、各モバイルデバイス２１，２２への充電を開始させてよい。ＰＤ契約では、充電器１から各モバイルデバイス２１，２２への供給電圧や最大供給電流が決定されてよい。
【００１８】
記憶部１８は、各種データ、情報、プログラム、等を記憶してよい。記憶部１８は、一次記憶装置（例えばＲＡＭ（Random Access Memory）やＲＯＭ（Read Only Memory））を含む。記憶部１８は、二次記憶装置（例えばＨＤＤ（Hard Disk Drive）やＳＳＤ（Solid State Drive））や三次記憶装置（例えば光ディスク、ＳＤカード）を含んでよい。
【００１９】
通信部１５は、外部装置との間で各種データ、情報を通信する。通信部１５は、ＵＳＢコネクタ１１，１２の通信ラインＣＣを用いて、それぞれモバイルデバイス２１，２２とＰＤ通信を行う。通信部１５は、ＰＤプロトコルに則って、各モバイルデバイス２１，２２とネゴシエーションを行う。通信部１５は、各モバイルデバイス２１，２２に対して、供給電圧や最大供給電流の情報を含むＰＤリストを送信してよい。ＰＤリストは、供給可能な最大供給電流Ｉａｍａｘ，Ｉｂｍａｘの情報を含んでよい。ＰＤリストは、ＰＤプロトコルに含まれるＳｏｕｒｃｅ＿Ｃａｐａｂｉｌｉｔｉｅｓを用いて通信されてよい。ＰＤリストの送信は、供給電力（例えば供給電圧、最大供給電流）の告知に相当する。各モバイルデバイス２１，２２は、充電器１からのＰＤリストを受信し、ＰＤリストに基づいて、充電器１に対して要求する供給電圧及び最大供給電流を決定する。通信部１５は、各モバイルデバイス２１，２２から、供給電圧及び最大供給電流の要求情報を含むリクエストメッセージを受信してよい。なお、供給電圧や最大供給電流の導出（例えば算出）や決定は、制御部１４により行われてよい。
【００２０】
また、通信部１５は、ＵＳＢコネクタ１１，１２に接続されたモバイルデバイス２１，２２がＰＤ通信不能なレガシータイプのＵＳＢを有する場合、ＵＳＢコネクタ１１，１２のＤ−／Ｄ＋ラインを用いて、モバイルデバイスの種別を認識してよい。通信部１５は、モバイルデバイス２１，２２への供給電圧を例えば５Ｖにするか９Ｖにするかのリクエストを、モバイルデバイス２１，２２に送信し、このリクエストに対し、モバイルデバイス２１，２２から供給電圧を５Ｖにする等のレスポンスを受信してよい。
【００２１】
給電部１６は、ＤＣＤＣコンバータ１７を有する。ＤＣＤＣコンバータ１７は、バッテリ電圧の直流電圧変換を行い、モバイルデバイス２１，２２に供給可能な出力電圧（供給電圧）を生成する。給電部１６は、ＤＣＤＣコンバータ１７で生成された出力電圧を用いて、モバイルデバイス２１，２２を充電する。給電部１６は、各モバイルデバイス２１，２２に設定された最大供給電流Ｉａｍａｘ，Ｉｂｍａｘの範囲内で、モバイルデバイス２１，２２に対し、設定された供給電圧を供給する。
【００２２】
給電部１６は、モバイルデバイス２１，２２へ、所望の供給電力で電力供給（充電）を行う。供給電力（供給電圧、最大供給電流）は、例えば制御部１４によりＰＤ契約で決定されてよい。給電部１６は、一定電流を供給してモバイルデバイス２１，２２を充電させてよい（定電流充電）。給電部１６は、一定電圧を供給してモバイルデバイス２１，２２を充電させてよい（定電圧充電）。
【００２３】
図２は、ＵＳＢの種別（ＵＳＢタイプ）に対応する電力仕様が登録された電力供給テーブルＴｂ１の登録内容を示す図である。電力供給テーブルＴｂ１は、記憶部１８に保持されてよい。
【００２４】
電力供給テーブルＴｂ１に示すように、ＵＳＢタイプがＵＳＢ２．０の場合、供給電圧５．０Ｖ、最大供給電流５００ｍＡ（０．５Ａ）（つまり最大供給電流以下の供給電流）で電力供給が可能である。ＵＳＢタイプがＵＳＢ３．１の場合、供給電圧５．０Ｖ、最大供給電流９００ｍＡ（０．９Ａ）で電力供給が可能である。ＵＳＢタイプがＵＳＢ ＢＣ１．２の場合、供給電圧５．０Ｖ、最大供給電流１．５Ａで電力供給が可能である。
【００２５】
また、ＵＳＢタイプがＵＳＢ Ｔｙｐｅ−Ｃ  Ｃｕｒｒｅｎｔ＠１．５Ａの場合、供給電圧５．０Ｖ、最大供給電流１．５Ａで電力供給が可能である。ＵＳＢタイプがＵＳＢ Ｔｙｐｅ−Ｃ  Ｃｕｒｒｅｎｔ＠３．０Ａの場合、供給電圧５．０Ｖ、最大供給電流３.０Ａで電力供給が可能である。なお、＠１．５Ａ及び＠３．０Ａは、供給可能な最大供給電流を示している。ＵＳＢタイプがＵＳＢ Ｔｙｐｅ−Ｃ  Ｃｕｒｒｅｎｔの場合、ＣＣ１端子又はＣＣ２端子のプルアップ抵抗Ｒｐを変えることで、充電器１は、最大供給電流を調整可能である。例えば、プルアップ抵抗Ｒｐを標準値の５６ｋΩから２２ｋΩに変更することで、最大供給電流が１．５Ａになる。例えば、プルアップ抵抗Ｒｐを標準値の５６ｋΩから１０ｋΩに変更することで、最大供給電流が３．０Ａになる。
【００２６】
また、ＵＳＢタイプがＵＳＢ ＰＤの場合、最大供給電圧２０Ｖ（つまり最大供給電圧以下の供給電圧）、最大供給電流５Ａで電力供給が可能である。ＵＳＢ ＰＤは、ＰＤ通信のネゴシエーションやＰＤ契約可能なＵＳＢである。ＵＳＢ  ＰＤは、ＵＳＢ Ｔｙｐｅ−Ｃの一種である。
【００２７】
図３は、ＵＳＢコネクタ１１，１２のピン配列の一例を示す図である。ＵＳＢ Ｔｙｐｅ−Ｃでは、通信速度１０Ｇｂｐｓの高速通信が可能である。また、ＵＳＢコネクタでは、ＰＤ機能として、最大供給電圧２０Ｖ、最大供給電力１００Ｗの電力供給が可能であり、供給可能な電力が可変である。また、ＵＳＢ Ｔｙｐｅ−Ｃでは、オルタネートモード（制御モード）により他のコネクタと互換性がある。
【００２８】
ＵＳＢ Ｔｙｐｅ−Ｃのコネクタは、ピン端子Ａ１〜Ａ１２、ピン端子Ｂ１〜Ｂ１２の上下２段、２４ピンのピン配列を有する。ピン端子Ａ１〜Ａ１２は、それぞれＧＮＤ（接地用）、ＳＳＴＸｐ１（ＳｕｐｅｒＳｐｅｅｄ信号線１番、ＴＸ、正極）、ＳＳＴＸｎ１（ＳｕｐｅｒＳｐｅｅｄ信号線１番、ＴＸ、負極）、ＶＢＵＳ（バス電源）、ＣＣ１（接続コンフィグ用）、Ｄ＋（Ｄｐ１、非ＳｕｐｅｒＳｐｅｅｄ信号線１番、正極）、Ｄ−（Ｄｎ１、非ＳｕｐｅｒＳｐｅｅｄ信号線１番、負極）、ＳＢＵ（サイドバンド（ＳＢＵ））、ＶＢＵＳ（バス電源）、ＳＳＲＸｎ２（ＳｕｐｅｒＳｐｅｅｄ信号線４番、ＲＸ、負極）、ＳＳＲＸｐ２（ＳｕｐｅｒＳｐｅｅｄ信号線４番、ＲＸ、正極）、ＧＮＤ（接地用）の端子である。ピン端子Ｂ１〜Ｂ１２は、それぞれＧＮＤ（接地用）、ＳＳＴＸｐ２（ＳｕｐｅｒＳｐｅｅｄ信号線３番、ＴＸ、正極）、ＳＳＴＸｎ２（ＳｕｐｅｒＳｐｅｅｄ信号線３番、ＴＸ、負極）、ＶＢＵＳ（バス電源）、ＣＣ２（接続コンフィグ用）、Ｄ＋（Ｄｐ２、非ＳｕｐｅｒＳｐｅｅｄ信号線２番、正極）、Ｄ−（Ｄｎ２、非ＳｕｐｅｒＳｐｅｅｄ信号線２番、負極）、ＳＢＵ２（サイドバンド（ＳＢＵ））、ＶＢＵＳ（バス電源）、ＳＳＲＸｎ１（ＳｕｐｅｒＳｐｅｅｄ信号線２番、ＲＸ、負極）、ＳＳＲＸｐ１（ＳｕｐｅｒＳｐｅｅｄ信号線２番、ＲＸ、正極）、ＧＮＤ（接地用）の端子である。
【００２９】
これらのピン端子のうち、Ｄ＋端子とＤ−端子は、データを伝送する信号線の端子である。ＣＣ１端子及びＣＣ２端子は、レガシータイプのＵＳＢ（ＵＳＢ  ＰＤ以外のＵＳＢ）を認識するために使用され、ＰＤ通信に使用される。
【００３０】
充電器１のＵＳＢコネクタ１１，１２のＶＢＵＳ端子とモバイルデバイス２１，２２のＵＳＢコネクタのＶＢＵＳ端子を通って、ＶＢＵＳラインＬｓが形成される。ＶＢＵＳラインＬｓは、充電器１からスマートフォン３へ電力を供給するためのラインである。充電器１のＵＳＢコネクタ１１，１２のＣＣ１端子又はＣＣ２端子とモバイルデバイス２１，２２のＵＳＢコネクタのＣＣ１端子又はＣＣ２端子とを通って、通信ラインＣＣが形成される。充電器１のＵＳＢコネクタ１１，１２のＤ＋端子又はＤ−端子とモバイルデバイス２１，２２のＵＳＢコネクタのＤ＋端子又はＤ−端子とを通って、Ｄ＋／Ｄ−ラインが形成される。
【００３１】
充電器１にＵＳＢコネクタ１１，１２及びＵＳＢケーブル（図示せず）を介してモバイルデバイス２１，２２が接続される場合、充電器１が電力を供給する側、つまりＤＦＰ（Downstream-Facing Port）側となり、モバイルデバイス２１，２２が電力を受ける側、つまりＵＦＰ（Upstream-Facing Port）側となる。
【００３２】
ＵＳＢケーブルがＤＦＰ側のＵＳＢコネクタ１１，１２及びＵＦＰ側のＵＳＢコネクタに接続されていない場合、ＤＦＰ側のＣＣ１端子又はＣＣ２端子は、プルアップ抵抗Ｒｐにより例えば５Ｖである。一方、ＵＦＰ側のＣＣ１端子及びＣＣ２端子は、プルダウン抵抗Ｒｄによりいずれも０Ｖである。
【００３３】
ＵＳＢケーブルがＤＦＰ側のＵＳＢコネクタ１１，１２、ＵＦＰ側のＵＳＢコネクタそれぞれに接続されると、ＤＦＰ側のＣＣ１端子又はＣＣ２端子は、ＵＳＢケーブルを通して、自身のプルアップ抵抗ＲｐとＵＦＰ側のプルダウン抵抗ＲｄでＵＦＰ側のＣＣ１端子又はＣＣ２端子に接続される。したがって、ＤＦＰ側のＣＣ１端子又はＣＣ２端子は、プルアップ抵抗Ｒｐとプルダウン抵抗Ｒｄの抵抗分圧により一定の電圧にセットされる。ＤＦＰ側である充電器１とＵＦＰ側であるモバイルデバイス２１，２２との接続が確立する。ＰＤ通信では、充電器１及びモバイルデバイス２１，２２間で通信ラインＣＣを介した電力供給（充電）に関するデータ通信（リクエストやレスポンス）が行われてよい。
【００３４】
次に、最大許容電流Ｉｍａｘの導出例について説明する。最大許容電流の導出は、制御部１４により行われてよい。
【００３５】
最大許容電流Ｉｍａｘは、充電器１が複数のモバイルデバイス２１，２２に対して全体で（合計で）供給可能な電流を表す。最大許容電流Ｉｍａｘは、ＩＣモジュールで構成されるＤＣＤＣコンバータ１７の仕様によって決定される。最大許容電流Ｉｍａｘは、ＤＣＤＣコンバータ１７のＩＣモジュールで規定されるジャンクション温度Ｔｊ（ＩＣモジュールが取り付けられる放熱器の接合温度）が最大値（例えば、人が触れても火傷しない程度の高温）を超えないように、設定される。ジャンクション温度Ｔｊは、雰囲気温度Ｔａ、雰囲気及びジャンクション間の熱抵抗θj-aを用いて、例えば式（１）で表されてよい。
【００３６】
Ｔｊ［℃］ ＝ Ｔａ［℃］ ＋ Ｐｗ［Ｗ］ × θj-a［℃／Ｗ］  …… （１）
【００３７】
ここで、損失Ｐｗは、ＩＣモジュールの損失を表す。損失Ｐｗは、出力電力Ｐｏｕｔ［Ｗ］を入力電力Ｐｉｎ［Ｗ］で除することで得られる効率ηを用いて、式（２）で表されてよい。なお、実施形態１では、出力電圧が固定（例えば５Ｖ）であるので、効率ηは、ほぼ一定の値である。
【００３８】
Ｐｗ ＝ Ｐｏｕｔ × （１−η）／η ……（２）
【００３９】
式（１）に従って、ジャンクション温度Ｔｊが最大値を超えないように、ＤＣＤＣコンバータ１７のＩＣモジュールの損失Ｐｗが設定されると、制御部１４は、式（２１）に従って、損失Ｐｗと効率ηを基に、出力電力Ｐｏｕｔ（供給電力）を決定してよい。制御部１４は、出力電力Ｐｏｕｔを基に、出力電圧（例えば５Ｖ）（供給電圧）に対応する最大許容電流Ｉｍａｘを決定してよい。なお、最大許容電流Ｉｍａｘは、このような算出により導出されるのではなく、通信部１５を介して外部装置から取得されてもよい。
【００４０】
なお、ここでは、最大許容電流Ｉｍａｘは、ジャンクション温度Ｔｊが高温にならないように、ジャンクション温度Ｔｊを基準に設定されることを示したが、放熱器が人に触れないように配置されている場合、雰囲気温度Ｔａを基準に設定されてもよい。
【００４１】
なお、充電器１は、放熱器との接合部におけるジャンクション温度Ｔｊや、雰囲気温度Ｔａを検知可能な温度センサを含んでもよい。最大許容電流は、雰囲気温度Ｔａによっても変化するので、温度センサによって検知される温度で補正されてもよい。
【００４２】
上記構成を有する充電器１の動作を示す。本実施形態では、充電器１がモバイルデバイス２１，２２を同じ電圧（例えば５Ｖ）の電圧で充電する場合を示す。第１動作例では、モバイルデバイス２１，２２のいずれも充電器１との間でＰＤ通信可能である場合を示す。第２動作例では、モバイルデバイス２１，２２のうち、モバイルデバイス２１はＰＤ通信可能であるが、モバイルデバイス２２はＰＤ通信不能（非対応）である場合を示す。
【００４３】
図４は、充電器１と２台のモバイルデバイス２１，２２との間における充電制御に関する通信手順を示すシーケンス図である。なお、図４（図４以外でも適用され得る）では、ＰＤリストを単にリストとも記載する。また、供給電圧の値Ｘ１と最大供給電流の値Ｙ１との組み合わせを、単にリスト（Ｘ１，Ｙ１）とも記載する。また、モバイルデバイスによる供給電圧の要求値Ｘ２と最大供給電流の要求値Ｙ２との組み合わせを、単に要求（Ｘ２，Ｙ２）とも記載する。
【００４４】
モバイルデバイス２１が充電器１のＵＳＢコネクタ１１に接続されると、検知部１３は、モバイルデバイス２１の接続を検知する（Ｔ１）。通信部１５は、モバイルデバイス２１にＰＤリストを送信する（Ｔ２）。このＰＤリストは、充電器１がモバイルデバイス２１に対して供給可能な供給電圧（出力電圧）５Ｖ，最大供給電流（最大出力電流）３Ａであることを示す情報を含む。
【００４５】
モバイルデバイス２１は、充電器１からＰＤリストを取得し、ＰＤリストに含まれる供給電圧５Ｖ，最大供給電流３Ａの電力供給が自機の充電に適している場合、充電器１に対し、供給電圧５Ｖ，最大供給電流３Ａの電力供給を要求するリクエストメッセージを送信する（Ｔ３）。充電器１の通信部１５は、モバイルデバイス２１からの要求（リクエストメッセージ）を受信する。給電部１６は、この要求に応じ、ＵＳＢコネクタ１１を介して、供給電圧５Ｖ，最大供給電流３Ａの電力供給（モバイルデバイス２１の充電）を開始する（Ｔ４）。なお、最大供給電流の電力供給は、最大供給電流以下の電流を用いた電力供給である。
【００４６】
モバイルデバイス２１の充電中、別のモバイルデバイス２２が充電器１のＵＳＢコネクタ１２に接続されると、検知部１３は、モバイルデバイス２２の接続を検知する（Ｔ５）。通信部１５は、手順Ｔ２と同様、モバイルデバイス２２にＰＤリストを送信する（Ｔ６）。
【００４７】
モバイルデバイス２２は、充電器１からＰＤリストを取得し、ＰＤリストに含まれる供給電圧５Ｖ，最大供給電流３Ａの電力供給が自機の充電に適している場合、充電器１に対し、供給電圧５Ｖ，最大供給電流３Ａの電力供給を要求するリクエストメッセージを送信する（Ｔ７）。充電器１の通信部１５は、モバイルデバイス２２からの要求を受信する。給電部１６は、この要求に応じ、ＵＳＢコネクタ１２を介して、供給電圧５Ｖ，最大供給電流３Ａの電力供給（モバイルデバイス２２の充電）を開始する（Ｔ８）。
【００４８】
検知部１３は、モバイルデバイス２１，２２がそれぞれ引き込む電流Ｉａ，Ｉｂを検知する（Ｔ９）。制御部１４は、例えば式（３）に従い、モバイルデバイス２１，２２にそれぞれ供給可能な最大供給電流Ｉａｍａｘ，Ｉｂｍａｘを算出する（Ｔ１０）。
Ｉａｍａｘ ＝ Ｉｍａｘ × Ｉａ／（Ｉａ＋Ｉｂ）
Ｉｂｍａｘ ＝ Ｉｍａｘ × Ｉｂ／（Ｉａ＋Ｉｂ）  …… （３）
【００４９】
Ｔ１０では、例えば、モバイルデバイス２１が引き込む電流が２．８Ａであり、モバイルデバイス２２が引き込む電流が０．７Ａである場合、制御部１４は、例えば式（３）に従い、モバイルデバイス２１の最大供給電流２．４Ａ及びモバイルデバイス２２の最大供給電流０．６Ａを算出する。
【００５０】
通信部１５は、供給電圧５Ｖ，最大供給電流２．４Ａで電力供給可能である旨のＰＤリストをモバイルデバイス２１に送信する（Ｔ１１）。モバイルデバイス２１は、受信したＰＤリストを基に、供給電圧５Ｖ，最大供給電流２．４Ａの電力供給を要求する（Ｔ１２）。給電部１６は、この要求に応じ、ＵＳＢコネクタ１１を介して、供給電圧５Ｖ，最大供給電流２．４Ａの電力供給（モバイルデバイス２１の充電）を開始する（Ｔ１３）。
【００５１】
また、通信部１５は、供給電圧５Ｖ，最大供給電流０．６Ａで電力供給可能である旨のＰＤリストをモバイルデバイス２２に送信する（Ｔ１４）。モバイルデバイス２２は、受信したＰＤリストを基に、供給電圧５Ｖ，最大供給電流０．６Ａの電力供給を要求する（Ｔ１５）。給電部１６は、この要求に応じ、ＵＳＢコネクタ１２を介して、供給電圧５Ｖ，最大供給電流０．６Ａの電力供給（モバイルデバイス２２の充電）を開始する（Ｔ１６）。
【００５２】
モバイルデバイス２１，２２の充電中、モバイルデバイス２２が充電器１のＵＳＢコネクタ１２から外されると、検知部１３は、モバイルデバイス２２の充電器１への接続の切断を検知する（Ｔ１７）。
【００５３】
通信部１５は、供給電圧５Ｖ，最大供給電流３Ａで電力供給可能である旨を示すＰＤリストをモバイルデバイス２１に送信する（Ｔ１８）。つまり、いずれかのモバイルデバイスの接続の切断が検知されると、通信部１５は、ＰＤリストを用いて切断されていないモバイルデバイス２１との間で再度ネゴシエーションを行い、制御部１４は、切断されていないモバイルデバイス２１への供給電圧及び最大供給電流を再決定する。
【００５４】
モバイルデバイス２１は、充電器１から受信したＰＤリストを基に、充電器１に対し、供給電圧５Ｖ，最大供給電流３Ａの電力供給を要求する（Ｔ１９）。通信部１５は、モバイルデバイス２１からの要求を受信すると、給電部１６は、この要求に応じ、ＵＳＢコネクタ１１を介して、供給電圧５Ｖ，最大供給電流３Ａの電力供給（モバイルデバイス２１の充電）を開始する（Ｔ２０）。
【００５５】
図５は、実施形態１の第１動作例における充電器１の充電動作手順を示すフローチャートである。図５では、１台目のモバイルデバイスをモバイルデバイス２１、２台目のモバイルデバイスをモバイルデバイス２２、として例示する。第１動作例では、モバイルデバイス２１、２２が共にＰＤ通信可能であることを例示する。
【００５６】
前述したように、検知部１３がＵＳＢコネクタ１１を介してモバイルデバイス２１の接続を検知すると、通信部１５は、モバイルデバイス２１にＰＤリストを送信する。このＰＤリストでは、例えば、供給電圧５Ｖ、最大供給電流３Ａ、である。モバイルデバイス２１は、このＰＤリストを基に、充電器１に電力供給を要求する。この要求は、例えば、供給電圧５Ｖ、最大供給電流３Ａ、の要求情報を含む。通信部１５は、モバイルデバイス２１からの要求を受信する。制御部１４は、モバイルデバイス２１からの要求を基に、モバイルデバイス２１への供給電圧及び最大供給電流を決定する。決定された供給電圧及び最大供給電流は、例えば、５Ｖ、３Ａ、である。このような手順でＰＤ通信のネゴシエーションが行われ、ネゴシエーションの結果、電力供給に関するＰＤ契約が成立する。
【００５７】
ネゴシエーションの後、給電部１６は、決定された供給電圧及び最大供給電流で、モバイルデバイス２１を充電する（Ｓ１）。モバイルデバイス２１の充電中、検知部１３は、モバイルデバイス２２がＵＳＢコネクタ１２を介して充電器１に接続されたか否かを判別する（Ｓ２）。モバイルデバイス２２が接続されていない場合、給電部１６は、Ｓ１に戻り、モバイルデバイス２１の充電を継続する。
【００５８】
モバイルデバイス２２が新たに接続された場合、通信部１５は、モバイルデバイス２２とネゴシエーションを行い、モバイルデバイス２２とＰＤ契約を行う（Ｓ３）。このＰＤ契約では、例えば、供給電圧５Ｖ，最大供給電流３Ａ、である。給電部１６は、ＰＤ契約で決定された供給電圧、最大供給電流で、モバイルデバイス２２への充電を開始する（Ｓ３）。よって、給電部１６は、モバイルデバイス２１，２２の双方に５Ｖの電圧を供給する。
【００５９】
検知部１３は、モバイルデバイス２１，２２の充電において、モバイルデバイス２１，２２がそれぞれ引き込む電流Ｉａ，Ｉｂを検知する（Ｓ４）。制御部１４は、電流Ｉａと電流Ｉｂを加算した値が最大許容電流Ｉｍａｘを超えるか否かを判別する（Ｓ５）。最大許容電流Ｉｍａｘを超える場合、制御部１４は、例えば式（３）に従い、モバイルデバイス２１，２２にそれぞれ供給する最大供給電流Ｉａｍａｘ，Ｉｂｍａｘを算出する。通信部１５は、算出した最大供給電流Ｉａｍａｘの情報を含むＰＤリストをモバイルデバイス２１に送信する（Ｓ６）。通信部１５は、算出した最大供給電流Ｉｂｍａｘの情報を含むＰＤリストをモバイルデバイス２２に送信する（Ｓ６）。
【００６０】
通信部１５によりモバイルデバイス２１，２２からＰＤリストに基づく電力供給の要求を受信し、ＰＤ契約が成立した場合、給電部１６は、モバイルデバイス２１，２２に対し、ＰＤ契約で決定された最大供給電流Ｉａｍａｘ，Ｉｂｍａｘで、モバイルデバイス２１，２２への充電を行う（Ｓ７）。
【００６１】
一方、Ｓ５において、電流Ｉａと電流Ｉｂを加算した値が最大許容電流Ｉｍａｘを超えない場合、給電部１６は、現状の最大供給電流を変更せずに、モバイルデバイス２１，２２への充電を継続する（Ｓ８）。
【００６２】
Ｓ７又はＳ８の処理後、検知部１３は、モバイルデバイス２２の充電器１への接続が切断されたか否かを判別する（Ｓ９）。モバイルデバイス２２の充電器１への接続が切断されていない場合、給電部１６は、Ｓ９の動作を繰り返し、モバイルデバイス２１，２２への充電を継続する。
【００６３】
一方、Ｓ９でモバイルデバイス２２の充電器１への接続が切断された場合、通信部１５は、モバイルデバイス２１とネゴシエーションを行い、モバイルデバイス２２を考慮しないＰＤ契約をモバイルデバイス２１との間で行う。給電部１６は、モバイルデバイス２１に対し、ＰＤ契約に示された条件（例えば供給電圧５Ｖ，最大供給電流３Ａ）で、電力供給を行う（Ｓ１０）。この後、充電器１は、本動作を終了する。
【００６４】
実施形態１の第１動作例によれば、充電器１は、最初には電流制約を設けずに、モバイルデバイス２１，２２への充電を開始できる。充電器１は、モバイルデバイス２１，２２が引き込む電流の合計値が最大許容電流Ｉｍａｘを超える場合には、各モバイルデバイス２１，２２への最大供給電流Ｉａｍａｘ，Ｉｂｍａｘを制限できる。よって、充電器１は、各モバイルデバイス２１，２２に対して、最大許容電流Ｉｍａｘ以下でなるべく多くの電力供給を可能にできる。
【００６５】
図６は、実施形態１の第２動作例における充電器１の充電動作手順を示すフローチャートである。第２動作例において、第１動作例と同一の処理については、同一の番号を付すことでその説明を省略又は簡略化する。
【００６６】
図６では、１台目のモバイルデバイスをモバイルデバイス２１、２台目のモバイルデバイスをモバイルデバイス２２、として例示する。また、第２動作例では、モバイルデバイス２１はＰＤ通信可能であり、モバイルデバイス２２は、例えばレガシータイプのＵＳＢ２．０のＵＳＢ通信を行いＰＤ通信不能であることを例示する。
【００６７】
ネゴシエーションの後、給電部１６は、決定された供給電圧（例えば５Ｖ）及び最大供給電流（例えば３Ａ）の電力供給でモバイルデバイス２１を充電する（Ｓ１）。モバイルデバイス２１の充電中、検知部１３は、モバイルデバイス２２がＵＳＢコネクタ１２を介して充電器１に接続されたか否かを判別する（Ｓ２）。モバイルデバイス２２が接続されていない場合、給電部１６は、Ｓ１に戻り、モバイルデバイス２１の充電を継続する。
【００６８】
モバイルデバイス２２が新たに接続された場合、通信部１５は、例えば通信ラインＣＣを用いて、モバイルデバイス２２側のＵＳＢの種別を認識する。通信部１５は、例えば通信ラインＣＣを用いて、ＰＤ通信が可能か否かに応じてモバイルデバイス２２側のＵＳＢの種別を認識してもよい。通信部１５は、例えば、通信ラインＣＣを用いたＵＳＢの種別の認識後に、Ｄ＋／Ｄ−ラインを用いて、ＳＤＰ（Standard Downstream Port）、ＣＤＰ（Charging Downstream Port）、ＤＣＰ（Dedicated Charging Port）の種別を認識してもよい。通信部１５がモバイルデバイス２２側のＵＳＢの種別を通知して、制御部１４が、検知部１３により検知されたモバイルデバイス２２と接続するためのＵＳＢの種別を認識してよい。ここでは、モバイルデバイス２２のＵＳＢの種別は、一例としてＵＳＢ２．０である。なお、モバイルデバイス２２のＵＳＢの種別は、ＵＳＢ２．０以外でもよい。
【００６９】
通信部１５は、ＵＳＢの種別によりモバイルデバイス２２がＰＤ通信不能であることを認識し、ＰＤ通信のネゴシエーションを行わずに、所定の供給電圧、所定の最大供給電流で、モバイルデバイス２２への充電を開始する（Ｓ３Ａ）。この場合、制御部１４は、電力供給テーブルＴｂ１を参照し、ＵＳＢの種別（ＵＳＢ２．０）に対応する充電情報を取得する。この充電情報は、所定の供給電圧５Ｖ、所定の最大供給電流５００ｍＡ（０．５Ａ）であることを示す情報を含む。
【００７０】
検知部１３は、モバイルデバイス２１，２２の充電において、モバイルデバイス２１が引き込む電流Ｉａを検知する（Ｓ４Ａ）。制御部１４は、電流Ｉａが最大許容電流Ｉｍａｘから所定の電流Ｉｂを差し引いた値を超えるか否かを判別する（Ｓ５Ａ）。ここでの所定の電流Ｉｂは、モバイルデバイス２２への所定の最大供給電流（例えば０．５Ａ）でよい。
【００７１】
電流Ｉａが最大許容電流Ｉｍａｘから所定の電流Ｉｂを差し引いた値を超える場合、制御部１４は、モバイルデバイス２１に供給する最大供給電流Ｉａｍａｘを、最大許容電流Ｉｍａｘから電流Ｉｂ（０．５Ａ）を差し引いた値に決定する。通信部１５は、決定した最大供給電流Ｉａｍａｘの情報を含むＰＤリストをモバイルデバイス２１に送信する（Ｓ６Ａ）。
【００７２】
通信部１５によりモバイルデバイス２１からＰＤリストに基づく電力供給の要求を受信し、ＰＤ契約が成立した場合、給電部１６は、決定された（要求された）最大供給電流Ｉａｍａｘで、モバイルデバイス２１への充電を行う（Ｓ７Ａ）。一方、Ｓ５Ａで電流Ｉａが最大許容電流Ｉｍａｘから所定の電流Ｉｂを差し引いた値を超えない場合、現状の最大供給電流を変更せずに、充電を継続する（Ｓ８）。
【００７３】
Ｓ７Ａ又はＳ８の処理後、検知部１３は、モバイルデバイス２２の充電器１への接続が切断されたか否かを判別する（Ｓ９）。モバイルデバイス２２の充電器１への接続が切断されていない場合、給電部１６は、Ｓ９の動作を繰り返し、モバイルデバイス２１，２２への充電を継続する。
【００７４】
一方、Ｓ９でモバイルデバイス２２の充電器１への接続が切断された場合、通信部１５は、モバイルデバイス２１とネゴシエーションを行い、モバイルデバイス２２を考慮しないＰＤ契約をモバイルデバイス２１との間で行う。給電部１６は、モバイルデバイス２１に対し、ＰＤ契約に示された条件（例えば供給電圧５Ｖ，最大供給電流３Ａ）で、電力供給を行う（Ｓ１０）。この後、充電器１は、本動作を終了する。
【００７５】
実施形態１の第２動作例によれば、充電器１は、最初には電流制約を設けずに、モバイルデバイス２１，２２への充電を開始できる。充電器１は、ＵＳＢ  ＰＤに適応不能なモバイルデバイス２２が引き込む所定の電流と、ＵＳＢ  ＰＤに適応可能なモバイルデバイス２１が引き込む電流との合計値が最大許容電流Ｉｍａｘを超える場合には、ＵＳＢ  ＰＤに適応可能なモバイルデバイス２１への最大供給電流Ｉａｍａｘを制限できる。よって、充電器１は、ＵＳＢ  ＰＤに適応可能なモバイルデバイス２１に対して、最大許容電流Ｉｍａｘ以下でなるべく多くの電力供給を可能にできる。
【００７６】
なお、実施形態１の第１動作例及び第２の動作例では、モバイルデバイス２１、モバイルデバイス２２の順で充電が開始され、充電途中でモバイルデバイス２２が外された場合を示したが、モバイルデバイス２２、モバイルデバイス２１の順に充電が開始されてもよいし、モバイルデバイス２１，２２が同時に充電開始されてもよい。また、充電途中でモバイルデバイス２１の充電器１への接続が切断され、モバイルデバイス２２の充電器１への接続が切断されなくてもよい。
【００７７】
以上のように、充電器１（充電装置の一例）は、２台（複数の一例）のモバイルデバイス２１，２２を充電する。充電器１は、モバイルデバイス２１，２２の充電器１への接続を検知し、接続されたモバイルデバイス２１，２２毎に、モバイルデバイス２１，２２が引き込む引込電流を検知する検知部１３（第１検知部の一例、第２検知部の一例）を備えてよい。充電器１は、モバイルデバイス２１，２２への充電を制御する制御部１４を備えてよい。制御部１４は、モバイルデバイス２１，２２を充電するための最大許容電流Ｉｍａｘを取得してよい。制御部１４は、各モバイルデバイスの引込電流の合計値が最大許容電流Ｉｍａｘより大きい場合、各モバイルデバイス２１，２２へ供給される最大供給電流Ｉａｍａｘ，Ｉｂｍａｘの合計値が最大許容電流Ｉｍａｘ以下となるように、各モバイルデバイス２１，２２への最大供給電流Ｉａｍａｘ，Ｉｂｍａｘを決定してよい。
【００７８】
これにより、充電器１は、限られた充電器１の供給電力を、各モバイルデバイス２１，２２の引込電流を基に、分配できる。よって、充電器１は、例えば各モバイルデバイス２１，２２が実行するアプリが要求する電流の供給を満足でき、各アプリの実行を継続できる。また、充電器１は、各モバイルデバイス２１，２２への最大供給電流の合計値が最大許容電流Ｉｍａｘ以上の大電流となることを抑制できる。また、放熱のために大きな空間を設けて充電器１が大型化することを抑制でき、サーマルシャットダウンを発生することを抑制できる。また、電力を供給する給電部１６の供給電力量を増やしたり、給電部１６の数を増やしたりすることが不要である。
【００７９】
また、制御部１４は、各モバイルデバイス２１，２２の引込電流の比に基づいて、各モバイルデバイス２１，２２への最大供給電流Ｉａｍａｘ，Ｉｂｍａｘを決定してよい。
【００８０】
これにより、充電器１は、各モバイルデバイス２１，２２の引込電流に応じて、最大供給電流Ｉａｍａｘ，Ｉｂｍａｘを比例配分して電流を供給できる。よって、例えば、モバイルデバイス２１，２２が必要とする電流の大きなアプリを実行するモバイルデバイス、必要とする電流の小さなアプリを実行するモバイルデバイス、等を考慮して、最大供給電流Ｉａｍａｘ，Ｉｂｍａｘを決定できる。
【００８１】
また、制御部１４は、検知部１３により新たにモバイルデバイス２２（第１のモバイルデバイスの一例）を検知した場合、モバイルデバイス２２を含む検知部１３により検知された各モバイルデバイス２１，２２への最大供給電流Ｉａｍａｘ，Ｉｂｍａｘを再決定してよい。
【００８２】
新たなモバイルデバイス２２が接続されることで、各最大供給電流Ｉａｍａｘ，Ｉｂｍａｘの合計値が最大許容電流Ｉｍａｘを超えるために継続して既に決定された各最大供給電流Ｉａｍａｘを供給することが困難となることも想定される。この場合でも、充電器１は、最大供給電流Ｉａｍａｘ，Ｉｂｍａｘを再配分することで、各最大供給電流Ｉａｍａｘ，Ｉｂｍａｘの合計値が最大許容電流Ｉｍａｘ以下となる電流を供給できる。
【００８３】
制御部１４は、検知部１３によりモバイルデバイス２２（第２のモバイルデバイスの一例）が新たに検知されなくなった場合、つまりモバイルデバイス２２の接続が切断された場合、モバイルデバイス２２を除く検知部１３により検知された各モバイルデバイス２１への最大供給電流Ｉａｍａｘを再決定してよい。
【００８４】
新たなモバイルデバイス２２の接続が終了することで、接続が継続された各モバイルデバイスの最大供給電流Ｉａｍａｘの合計値が最大許容電流を大きく下回る可能性があり、充電効率が低下することも想定される。この場合でも、充電器１は、各モバイルデバイスへの最大供給電流を再配分することで、充電効率の低下を抑制できる。
【００８５】
制御部１４は、検知部１３により検知された各モバイルデバイス２１，２２との接続の種別（例えばＵＳＢタイプ）を認識してよい。制御部１４は、認識されたモバイルデバイスに充電制御のためのネゴシエーションを行わないモバイルデバイス２２（第３のモバイルデバイスの一例）が含まれる場合、モバイルデバイス２２への所定の最大供給電流（例えば０．５Ａ）と、ネゴシエーションを行う各モバイルデバイス（例えばモバイルデバイス２１）の引込電流（例えば２．８Ａ）、とに基づいて、ネゴシエーションにより決定される各モバイルデバイス２１への最大供給電流（例えば２．５Ａ）を決定してよい。
【００８６】
これにより、ＵＳＢの種別がＵＳＢ  ＰＤ以外であり、このＵＳＢが供給可能な電流が固定値であり、予め定まっている場合でも、充電器１は、各モバイルデバイスの最大供給電流を調整できる。この場合、充電器１は、例えば、ＵＳＢ  ＰＤ以外のモバイルデバイスへの最大供給電流を除いて、ＵＳＢ  ＰＤに適合する各モバイルデバイスへの最大供給電流を決定することで、ＵＳＢ  ＰＤに適合する各モバイルデバイスへの最大供給電流を最大化できる。
【００８７】
（実施形態２）
実施形態１では、ＰＤ通信のネゴシエーションにおいて複数のモバイルデバイスに対して同じ電圧（例えば５Ｖ）を告知する場合を示したが、実施形態２では、複数のモバイルデバイスに対して異なる電圧（例えば５Ｖ、９Ｖ）を告知する場合を示す。異なる電圧は、２つ存在しても、３つ以上存在してもよい。
【００８８】
実施形態２の充電器１は、実施形態１とほぼ同一の構成を有するので、実施形態１と同一の構成要素については同一の符号を用いることで、その説明を省略又は簡略化する。
【００８９】
図７は、充電器１とモバイルデバイス２１Ａ，２２との間における充電制御に関する通信手順を示すシーケンス図である。ここでは、モバイルデバイス２１Ａは、９Ｖの電圧を要求し、モバイルデバイス２２は、５Ｖの電圧を要求することを例示する。
【００９０】
モバイルデバイス２１Ａが充電器１のＵＳＢコネクタ１１に接続されると、検知部１３は、モバイルデバイス２１Ａの接続を検知する（Ｔ３１）。通信部１５は、モバイルデバイス２１ＡにＰＤリストを送信する（Ｔ３２）。このＰＤリストには、供給電圧５Ｖ，最大供給電流３Ａの電力供給と、供給電圧９Ｖ，最大供給電流３Ａの電力供給と、が可能である情報が含まれる。
【００９１】
モバイルデバイス２１Ａは、充電器１からＰＤリストを取得し、ＰＤリストに含まれる供給電圧９Ｖ，最大供給電流３Ａの電力供給が自機の充電に適している場合、充電器１に対し、供給電圧９Ｖ，最大供給電流３Ａの電力供給を要求する（Ｔ３３）。充電器１の通信部１５は、モバイルデバイス２１Ａからの要求を受信する。給電部１６は、この要求に応じ、ＵＳＢコネクタ１１を介して、供給電圧９Ｖ，最大供給電流３Ａの電力供給（モバイルデバイス２１Ａの充電）を開始する（Ｔ３４）。
【００９２】
モバイルデバイス２１Ａの充電中、別のモバイルデバイス２２が充電器１のＵＳＢコネクタ１２に接続されると、検知部１３は、モバイルデバイス２２の接続を検知する（Ｔ３５）。通信部１５は、手順Ｔ３２と同様、モバイルデバイス２２に電力供給可能なＰＤリストを送信する（Ｔ３６）。このＰＤリストには、供給電圧５Ｖ，最大供給電流３Ａの電力供給と、供給電圧９Ｖ，最大供給電流３Ａの電力供給と、が可能である情報が含まれる。
【００９３】
モバイルデバイス２２は、充電器１からＰＤリストを取得し、ＰＤリストに含まれる供給電圧５Ｖ，最大供給電流３Ａの電力供給と、供給電圧９Ｖ，最大供給電流３Ａの電力供給のうち、供給電圧５Ｖ，最大供給電流３Ａの電力供給が自機の充電に適している場合、充電器１に対し、供給電圧５Ｖ，最大供給電流３Ａの電力供給を要求する（Ｔ３７）。充電器１の通信部１５は、モバイルデバイス２２からの要求を受信する。
【００９４】
充電器１の制御部１４は、モバイルデバイス２１Ａ，２２から要求された供給電圧（要求電圧）が異なることを確認すると、低い方の要求電圧（５Ｖ）をモバイルデバイス２１Ａ，２２への共通の供給電圧として決定する。通信部１５は、モバイルデバイス２１Ａに再びＰＤリストを送信する（Ｔ３９）。このＰＤリストには、モバイルデバイス２２からの供給電圧の要求（要求電圧）を加味して、供給電圧５Ｖ，最大供給電流３Ａの電力供給が可能であることが含まれる。ここでは、モバイルデバイス２１Ａ，２２の供給電圧を、低い方の電圧で同じ電圧にしている。
【００９５】
モバイルデバイス２１Ａは、充電器１から受信したＰＤリストを基に、供給電圧５Ｖ，最大供給電流３Ａの電力供給を要求する（Ｔ４０）。充電器１の通信部１５は、モバイルデバイス２１Ａからの要求を受信する。
【００９６】
給電部１６は、モバイルデバイス２１Ａ，２２からの電力供給の要求に応じ、ＵＳＢコネクタ１１，１２を介して、供給電圧５Ｖ，最大供給電流３Ａの電力供給（モバイルデバイス２１Ａ，２２の充電）を開始する（Ｔ４１）。
【００９７】
検知部１３は、モバイルデバイス２１Ａ，２２がそれぞれ引き込む電流Ｉａ，Ｉｂを検知する（Ｔ４２）。制御部１４は、例えば式（３）に従い、モバイルデバイス２１Ａ，２２にそれぞれ供給可能な最大供給電流Ｉａｍａｘ，Ｉｂｍａｘを算出する（Ｔ４３）。
【００９８】
例えば、モバイルデバイス２１Ａが引き込む電流が２．８Ａであり、モバイルデバイス２２が引き込む電流が０．７Ａである場合、制御部１４は、モバイルデバイス２１Ａの最大供給電流２．４Ａ及びモバイルデバイス２２の最大供給電流０．６Ａを算出する。
【００９９】
通信部１５は、供給電圧５Ｖ，最大供給電流２．４Ａの電力供給が可能な旨を含むＰＤリストをモバイルデバイス２１Ａに送信する（Ｔ４４）。モバイルデバイス２１Ａは、受信したＰＤリストを基に、供給電圧５Ｖ，最大供給電流２．４Ａの電力供給を要求する（Ｔ４５）。給電部１６は、この要求に応じ、ＵＳＢコネクタ１１を介して、供給電圧５Ｖ，最大供給電流２．４Ａの電力供給（モバイルデバイス２１Ａの充電）を開始する（Ｔ４６）。
【０１００】
また、通信部１５は、供給電圧５Ｖ，最大供給電流０．６Ａの電力供給が可能な旨を含むＰＤリストをモバイルデバイス２２に送信する（Ｔ４７）。モバイルデバイス２２は、受信したＰＤリストを基に、供給電圧５Ｖ，最大供給電流０．６Ａの電力供給を要求する（Ｔ４８）。給電部１６は、この要求に応じ、ＵＳＢコネクタ１２を介して、供給電圧５Ｖ，最大供給電流０．６Ａの電力供給（モバイルデバイス２１Ａの充電）を開始する（Ｔ４９）。
【０１０１】
モバイルデバイス２１Ａ，２２の充電中、モバイルデバイス２２が充電器１のＵＳＢコネクタ１２から外されると、検知部１３は、モバイルデバイス２２の接続の切断を検知する（Ｔ５０）。
【０１０２】
通信部１５は、供給電圧５Ｖ，最大供給電流３Ａの電力供給と、供給電圧９Ｖ，最大供給電流３Ａの電力供給と、が可能である旨を含むＰＤリストをモバイルデバイス２１Ａに送信する（Ｔ５１）。
【０１０３】
モバイルデバイス２１Ａは、充電器１から受信したＰＤリストを基に、充電器１に対し、供給電圧９Ｖ，最大供給電流３Ａの電力供給を要求する（Ｔ５２）。通信部１５は、モバイルデバイス２１Ａからの要求を受信すると、給電部１６は、この要求に応じ、ＵＳＢコネクタ１１を介して、供給電圧９Ｖ，最大供給電流３Ａの電力供給（モバイルデバイス２１Ａの充電）を開始する（Ｔ５３）。
【０１０４】
なお、充電器１の最大許容電流Ｉｍａｘは、前述したように、例えば、ＩＣモジュールで規定されるジャンクション温度Ｔｊが最大値を超えないように、例えば式（１）、（２）に従って設定される。実施形態１では、供給電圧（例えば５Ｖ）が１種類であるので、効率ηは一定であったが、実施形態２では、供給電圧が複数種類（例えば５Ｖ，９Ｖ）であるので、効率ηが変化する。このため、事前に供給電圧毎に、入力電圧と効率との関係を表すテーブルを作成し、記憶部１８に記憶しておいてよい。例えば、テーブルには、入力電圧と効率ηの関係を表す、供給電圧５Ｖ用のテーブルや、供給電圧９Ｖ用のテーブルが含まれてよい。制御部１４は、入力電圧をモニタし、上記テーブルから得られる効率ηと損失Ｐｗを基に、出力電力Ｐｏｕｔ（供給電力）、さらに最大出力電流（最大許容電流Ｉｍａｘ）を導出（例えば算出）してもよい。これにより、充電器１は、最大許容電流Ｉｍａｘの導出精度を一層向上できる。
【０１０５】
図８及び図９は、実施形態２の第１動作例における充電器１の充電動作手順を示すフローチャートである。図８及び図９では、１台目のモバイルデバイスをモバイルデバイス２１Ａ、２台目のモバイルデバイスをモバイルデバイス２２、として例示する。第１動作例では、モバイルデバイス２１Ａ、２２が共にＰＤ通信可能であることを例示する。
【０１０６】
ＵＳＢコネクタ１１にモバイルデバイス２１Ａが接続された場合、通信部１５は、モバイルデバイス２１ＡとＰＤ通信してネゴシエーションを行い、モバイルデバイス２１Ａの要求電圧（要求される供給電圧）、最大要求電流（要求される最大供給電流）を取得する。ここでの要求電圧及び最大供給電流は、例えば、供給電圧５Ｖ，最大供給電流３Ａ、又は、供給電圧９Ｖ，最大供給電流３Ａ、である。ネゴシエーションの後、給電部１６は、モバイルデバイス２１Ａを、例えば供給電圧９Ｖ，最大供給電流３Ａの電力供給で充電する（Ｓ２１）。検知部１３は、モバイルデバイス２２がＵＳＢコネクタ１２を介して充電器１に新たに接続されたか否かを判別する（Ｓ２２）。モバイルデバイス２２が接続されていない場合、給電部１６は、Ｓ２１に戻り、モバイルデバイス２１Ａの充電を継続する。
【０１０７】
ＵＳＢコネクタ１２にモバイルデバイス２２が新たに接続された場合、通信部１５は、モバイルデバイス２２とＰＤ通信してネゴシエーションを行い、モバイルデバイス２２の要求電圧、最大要求電流を取得する（Ｓ２３）。ここでの要求電圧及び最大要求電流は、例えば、供給電圧５Ｖ，最大供給電流３Ａ、又は、供給電圧９Ｖ，最大供給電流３Ａ、である。
【０１０８】
制御部１４は、モバイルデバイス２１Ａ，２２の要求電圧が共に９Ｖであるか否かを判別する（Ｓ２４）。
【０１０９】
モバイルデバイス２１Ａ，２２の要求電圧のいずれも９Ｖである場合、通信部１５は、供給電圧９Ｖ、最大供給電流３ＡでＰＤ契約し、モバイルデバイス２１Ａ，２２の充電を開始する（Ｓ２５）。
【０１１０】
検知部１３は、モバイルデバイス２１Ａ，２２がそれぞれ引き込む電流Ｉａ９，Ｉｂ９を検知する（Ｓ２６）。制御部１４は、電流Ｉａ９と電流Ｉｂ９を加算した値が最大許容電流Ｉ９ｍａｘを超えるか否かを判別する（Ｓ２７）。最大許容電流Ｉ９ｍａｘを超える場合、制御部１４は、例えば式（３）と同様の式に従い、モバイルデバイス２１Ａ，２２にそれぞれ供給する最大供給電流Ｉａ９ｍａｘ，Ｉｂ９ｍａｘを算出する。
【０１１１】
式（３）と同様の式は、電流Ｉａ，Ｉｂをそれぞれ電流Ｉａ９，Ｉｂ９とし、最大供給電流Ｉａｍａｘ，Ｉｂｍａｘをそれぞれ最大供給電流Ｉａ９ｍａｘ，Ｉｂ９ｍａｘとすることで表されてよい。電流Ｉａ９、電流Ｉｂ９は、供給電圧９Ｖでのモバイルデバイス２１Ａ，２２の引込電流を示す。最大供給電流Ｉａ９ｍａｘ，Ｉｂ９ｍａｘは、供給電圧９Ｖでのモバイルデバイス２１Ａ，２２の最大供給電流を示す。
【０１１２】
通信部１５は、算出した最大供給電流Ｉａ９ｍａｘ，Ｉｂ９ｍａｘの情報を含むＰＤリストを、モバイルデバイス２１Ａ，２２にそれぞれ送信する（Ｓ２８）。
【０１１３】
通信部１５によりモバイルデバイス２１Ａ，２２からＰＤリストに基づく電力供給の要求を受信し、ＰＤ契約が成立した場合、給電部１６は、モバイルデバイス２１Ａ，２２に対し、ＰＤ契約で決定された最大供給電流Ｉａ９ｍａｘ，Ｉｂ９ｍａｘで、モバイルデバイス２１Ａ，２２への充電を行う（Ｓ２９）。
【０１１４】
一方、Ｓ２７において、電流Ｉａ９と電流Ｉｂ９を加算した値が最大許容電流Ｉ９ｍａｘを超えない場合、給電部１６は、現状の最大供給電流を変更せずに、モバイルデバイス２１Ａ，２２への充電を継続する（Ｓ３０）。
【０１１５】
Ｓ２９又はＳ３０の処理後、検知部１３は、モバイルデバイス２２の充電器１への接続が切断されたか否かを判別する（Ｓ３７）。モバイルデバイス２２の充電器１への接続が切断されていない場合、給電部１６は、Ｓ３７の動作を繰り返し、モバイルデバイス２１Ａ，２２の充電を継続する。
【０１１６】
一方、モバイルデバイス２２の充電器１への接続が切断された場合、通信部１５は、モバイルデバイス２１Ａとネゴシエーションを行い、モバイルデバイス２２を考慮しないＰＤ契約をモバイルデバイス２１Ａとの間で行う。給電部１６は、モバイルデバイス２１Ａに対し、ＰＤ契約に示された条件（例えば供給電圧９Ｖ，最大供給電流３Ａ）で電力供給を行う（Ｓ３８）。この後、充電器１は、本動作を終了する。
【０１１７】
一方、Ｓ２４において、モバイルデバイス２１Ａ，２２の供給電圧の少なくとも一方が９Ｖでない場合、通信部１５は、供給電圧５Ｖ，最大供給電流３Ａでモバイルデバイス２１Ａ，２２とＰＤ契約を行い、モバイルデバイス２１Ａ，２２へ充電する（Ｓ３１）。
【０１１８】
検知部１３は、モバイルデバイス２１Ａ，２２がそれぞれ引き込む電流Ｉａ５，Ｉｂ５を検知する（Ｓ３２）。制御部１４は、電流Ｉａ５と電流Ｉｂ５を加算した値が最大許容電流Ｉ５ｍａｘを超えるか否かを判別する（Ｓ３３）。最大許容電流Ｉ５ｍａｘを超える場合、制御部１４は、例えば式（３）と同様の式に従い、モバイルデバイス２１Ａ，２２にそれぞれ供給する最大供給電流Ｉａ５ｍａｘ，Ｉｂ５ｍａｘを算出する。
【０１１９】
式（３）と同様の式は、電流Ｉａ，Ｉｂをそれぞれ電流Ｉａ５，Ｉｂ５とし、最大供給電流Ｉａｍａｘ，Ｉｂｍａｘをそれぞれ最大供給電流Ｉａ５ｍａｘ，Ｉｂ５ｍａｘとすることで表されてよい。電流Ｉａ５、電流Ｉｂ５は、供給電圧５Ｖでのモバイルデバイス２１Ａ，２２の引込電流を示す。最大供給電流Ｉａ５ｍａｘ，Ｉｂ５ｍａｘは、供給電圧５Ｖでのモバイルデバイス２１Ａ，２２の最大供給電流を示す。
【０１２０】
通信部１５は、算出した最大供給電流Ｉａ５ｍａｘ，Ｉｂ５ｍａｘの情報を含むＰＤリストを、モバイルデバイス２１Ａ，２２にそれぞれ送信する（Ｓ３４）。
【０１２１】
通信部１５によりモバイルデバイス２１Ａ，２２からＰＤリストに基づく電力供給の要求を受信し、ＰＤ契約が成立した場合、給電部１６は、モバイルデバイス２１Ａ，２２に対し、ＰＤ契約で決定された最大供給電流Ｉａ５ｍａｘ，Ｉｂ５ｍａｘで、モバイルデバイス２１Ａ，２２への充電を行う（Ｓ３５）。
【０１２２】
一方、Ｓ３３において、電流Ｉａ５と電流Ｉｂ５を加算した値が最大許容電流Ｉ５ｍａｘを超えない場合、給電部１６は、現状の最大供給電流を変更せずに、モバイルデバイス２１Ａ，２２への充電を継続する（Ｓ３６）。
【０１２３】
Ｓ３５又はＳ３６の処理後、充電器１は、Ｓ３７の処理に進む。
【０１２４】
実施形態２の第１動作例によれば、充電器１は、複数種類の供給電圧による電力供給が可能である場合、モバイルデバイス２１Ａ，２２が要求する電圧に基づいて、各モバイルデバイス２１Ａ，２２がいずれも供給可能な同一の電圧で電力供給できる。また、充電器１は、決定された供給電圧を加味して、モバイルデバイス２１Ａ，２２が引き込む電流の合計値が最大許容電流を超える場合には、各モバイルデバイス２１Ａ，２２への最大供給電流を制限できる。よって、充電器１は、複数種類の供給電圧で電力供給が可能である場合でも、各モバイルデバイス２１Ａ，２２に対して、最大許容電流Ｉｍａｘ以下でなるべく多くの電力供給を可能にできる。また、充電器１は、ＵＳＢコネクタに接続された順番に、迅速に電力供給を実施できる。また、充電器１にデバイスが何台接続されるか予め把握することが困難であっても、電力供給を実施できる。また、充電器１にデバイスが何台接続されるか把握可能な場合であっても、最後のデバイスが接続される前に電力供給を開始できる。
【０１２５】
図１０及び図１１は、実施形態２の第２動作例における充電器１の充電動作手順を示すフローチャートである。実施形態２の第２動作例は、実施形態２の第１動作例と同様の処理を含むので、同じ処理については、同一のステップ番号を付すことでその説明を省略又は簡略化する。
【０１２６】
Ｓ２９の処理後、給電部１６が供給電圧９Ｖ，最大供給電流Ｉａ９ｍａｘ，Ｉｂ９ｍａｘでモバイルデバイス２１Ａ，２２をそれぞれ充電中に、制御部１４は、通信部１５を介してモバイルデバイス２１Ａ，２２のいずれから供給電圧５Ｖとするよう要求があったか否かを判別する（Ｓ２９Ａ）。供給電圧５Ｖとするよう要求が無い場合、制御部１４は、Ｓ２９Ａの処理を繰り返す。
【０１２７】
一方、供給電圧５Ｖとするよう要求がある場合、充電器１は、Ｓ３１の処理に進み、通信部１５が、モバイルデバイス２１Ａ，２２とＰＤ通信のネゴシエーションを行い、供給電圧５Ｖ，最大供給電流３Ａでモバイルデバイス２１Ａ，２２の双方とＰＤ契約を行う。給電部１６は、ＰＤ契約で決定された供給電圧５Ｖ，最大供給電流３Ａで、モバイルデバイス２１Ａ，２２の充電を開始する。この後の処理は、実施形態２の第１動作例と同様である。
【０１２８】
ここで、Ｓ２９Ａで供給電圧５Ｖの要求があるタイミングとは、例えば、モバイルデバイス２１Ａ，２２のどちらかが満充電に近い状態に達したタイミングを含んでよい。図１２は、モバイルデバイス２１Ａ，２２の充電時における充電電圧及び充電電流の時間変化を示すグラフである。グラフの横軸は時間を表し、縦軸は充電電圧又は充電電流を表す。
【０１２９】
グラフｇ１は、充電電圧の時間変化を表す。グラフｇ２は、充電電流の時間変化を表す。充電器１は、充電開始後に定電流充電を行い、モバイルデバイス２１Ａ，２２の充電電圧が満充電に近い状態にある電圧に達したタイミング、例えば充電電圧が４．２５Ｖに達するタイミングｔｐで、充電器１からの供給電圧を９Ｖから５Ｖに下げ、定電圧充電に切り替える。その後、充電器１は、モバイルデバイス２１Ａ，２２の充電電圧が満充電に近い状態で一定時間経過したタイミングｔｅで充電を終了する。この後、モバイルデバイス２１Ａ，２２の充電電圧（充電後のモバイルデバイス２１Ａ，２２の電圧）は、例えば４．２５Ｖよりも低い緩和した電圧に至る。
【０１３０】
つまり、給電部１６は、例えば、モバイルデバイス２１Ａ，２２の充電量が少ない場合には定電流充電とし、モバイルデバイス２１Ａ，２２の充電量が多い場合、モバイルデバイス２１Ａ，２２から要求された切替タイミングに従い、定電流充電から、より低い電圧による定電圧充電に切り替えて充電を継続してよい。
【０１３１】
実施形態２の第２動作例によれば、充電器１は、複数のモバイルデバイス２１Ａ，２２への供給電圧の変更要求を受けた場合に、変更要求に合わせて、供給電圧を変更できる。
また、供給電圧の変更に応じて、各モバイルデバイス２１Ａ，２２への最大供給電流を変更できる。
【０１３２】
なお、実施形態２の第１動作例及び第２の動作例では、モバイルデバイス２１Ａ、モバイルデバイス２２の順で充電が開始され、充電途中でモバイルデバイス２２が外された場合を示したが、モバイルデバイス２２、モバイルデバイス２１Ａの順に充電が開始されてもよいし、モバイルデバイス２１Ａ，２２が同時に充電開始されてもよい。また、充電途中でモバイルデバイス２１Ａの充電器１への接続が切断され、モバイルデバイス２２の充電器１への接続が切断されなくてもよい。
【０１３３】
以上のように、制御部１４、モバイルデバイス２１Ａ，２２毎に、モバイルデバイス２１Ａ，２２の要求電圧を取得し、各モバイルデバイス２１Ａ，２２の要求電圧が異なる場合、最小の要求電圧を、各モバイルデバイス２１Ａ，２２への供給電圧に決定してよい。
【０１３４】
これにより、ＵＳＢ  ＰＤのようにモバイルデバイス２１Ａ，２２毎に要求電圧が異なり得る場合でも、充電器１は、各モバイルデバイス２１Ａ，２２へ供給電圧を供給できる。また、各モバイルデバイス２１Ａ，２２への供給電圧を同じ電圧にすることで、例えば給電部１６が備えるＤＣＤＣコンバータが１つで済み、充電器１の構成を単純化できる。
【０１３５】
制御部１４は、決定した供給電圧に基づいて、各モバイルデバイス２１Ａ，２２への最大供給電流を決定してよい。
【０１３６】
これにより、充電器１は、決定された供給電圧に合わせて、最大許容電流以下となるように各モバイルデバイス２１Ａ，２２への最大供給電流（例えば最大供給電流Ｉ５ａｍａｘ，Ｉ５ｂｍａｘ）を調整できる。
【０１３７】
制御部１４は、供給中の供給電圧（例えば９Ｖ）とは異なる電圧（例えば５Ｖ）の要求を取得した場合、要求された電圧を新たな供給電圧に決定し、新たな供給電圧に基づいて、新たな最大供給電流（例えば最大供給電流Ｉ５ａｍａｘ）を決定してよい。
【０１３８】
これにより、充電器１は、例えば充電が満充電に近づき定電流充電から定電圧充電に切り替わる場合に、供給電圧の変更要求を受けても、モバイルデバイス２１Ａ，２２の充電状態に合わせて、供給電圧や最大供給電流を柔軟に調整できる。
【０１３９】
以上、図面を参照しながら各種の実施形態について説明したが、本開示はかかる例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０１４０】
上記実施形態では、制御部１４は、各モバイルデバイスが引き込む電流を基に、各モバイルデバイスへの最大供給電流を配分することを例示したが、他の指標を基に、各モバイルデバイスへの最大供給電流を配分してもよい。例えば、充電器１は、モバイルデバイス毎に、電流を供給すべき優先度を設定しておき、記憶部１８に保持しておいてよい。例えば充電の必要性の高いモバイルデバイスの優先度を高くし、充電の必要性の低いモバイルデバイスの優先度を低くしてよい。制御部１４は、優先度の低いモバイルデバイスよりも優先度の高いモバイルデバイスへの最大供給電流が大きくなるよう、各モバイルデバイスへの最大供給電流を配分してよい。なお、優先度の低いモバイルデバイスへは、電力供給が行われず、つまり充電されなくてもよい。
【０１４１】
上記実施形態では、充電器１に２台のモバイルデバイスが接続される場合を示したが、３台以上のモバイルデバイスが接続される場合も、同様に適用可能である。
【０１４２】
上記実施形態では、充電器１は、バッテリ電圧（例えば１２Ｖ）を降圧して５Ｖ又は９Ｖの電圧を供給する場合を主に示したが、バッテリ電圧を昇圧して１５Ｖや２０Ｖ等の、より高い電圧を供給してもよい。
【０１４３】
上記実施形態では、充電器１に入力される電源として、車載バッテリを示したが、これに限らず、他の電源（例えば、太陽光発電パネル、発電機）を用いてもよい。
【産業上の利用可能性】
【０１４４】
本開示は、接続された装置が必要とする電力を加味して、限られた供給電力を分配できる充電装置及び充電方法等に有用である。
【符号の説明】
【０１４５】
１  充電器
１ｚ  筐体
１１，１２  ＵＳＢコネクタ
１３  検知部
１４  制御部
１５  通信部
１６  給電部
１７  ＤＣＤＣコンバータ
２１，２１Ａ，２２  モバイルデバイス
Ｔｂ１  電力供給テーブル
【図１】
2020137170.tif 000003
【図２】
2020137170.tif 000004
【図３】
2020137170.tif 000005
【図４】
2020137170.tif 000006
【図５】
2020137170.tif 000007
【図６】
2020137170.tif 000008
【図７】
2020137170.tif 000009
【図８】
2020137170.tif 000010
【図９】
2020137170.tif 000011
【図１０】
2020137170.tif 000012
【図１１】
2020137170.tif 000013
【図１２】
2020137170.tif 000014